(57)【要約】【課題】メモリ使用量を著しく増加させることなく次世代の地上デジタル放送伝送方式における誤り訂正処理を実現する。【解決手段】本発明に係る送信装置１は、送信データに対してＬＤＰＣ符号化処理を施してＬＤＰＣ符号を生成するＬＤＰＣ符号化部１５ａ／１５ｂを具備しており、ＬＤＰＣ符号化部１５ａ／１５ｂは、所定の数式及び初期値を用いて、元となる検査行列Ｈから、ＬＤＰＣ符号の検査行列ＨＣを生成するように構成されている。【選択図】図２
2018098774.tif 000002
【特許請求の範囲】
【請求項１】
信号を送信する送信装置であって、送信データに対してＬＤＰＣ符号化処理を施してＬＤＰＣ符号を生成するＬＤＰＣ符号化部を具備し、
前記ＬＤＰＣ符号化部は、所定の数式及び初期値を用いて、元となる検査行列から、前記ＬＤＰＣ符号の検査行列を生成するように構成されていることを特徴とする送信装置。
【請求項２】
前記ＬＤＰＣ符号化部は、
前記所定の数式及び前記初期値を用いて、Ｍ系列を生成するように構成されているＭ系列生成部と、
前記Ｍ系列から振り分け符号を生成するように構成されている振り分け符号生成部と、
前記振り分け符号に基づいて、前記元となる検査行列の要素を、所定数の行列に振り分けるように構成されている振り分け実行部と、
前記所定数の行列を用いて、前記ＬＤＰＣ符号の検査行列を生成するように構成されている検査行列生成部と、を具備していることを特徴とする請求項１に記載の送信装置。
【請求項３】
請求項１に記載の送信装置から信号を受信する受信装置であって、
前記信号に対してＬＤＰＣ符号を用いた復号処理を施すＬＤＰＣ復号部を具備し、
前記ＬＤＰＣ復号部は、所定の数式及び初期値を用いて、元となる検査行列から、前記ＬＤＰＣ符号の検査行列を生成し、当該検査行列を用いてＬＤＰＣ符号を生成するように構成されていることを特徴とする受信装置。
【請求項４】
前記ＬＤＰＣ復号部は、
前記所定の数式及び前記初期値を用いて、Ｍ系列を生成するように構成されているＭ系列生成部と、
前記Ｍ系列から振り分け符号を生成するように構成されている振り分け符号生成部と、
前記振り分け符号に基づいて、前記元となる検査行列の要素を、所定数の行列に振り分けるように構成されている振り分け実行部と、
前記所定数の行列を用いて、前記ＬＤＰＣ符号の検査行列を生成するように構成されている検査行列生成部と、を具備していることを特徴とする請求項３に記載の受信装置。
【請求項５】
コンピュータを、請求項１又は２に記載の送信装置として機能させるためのプログラムを実行するプロセッサによって構成されるチップ。
【請求項６】
コンピュータを、請求項３又は４に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在、現行の地上デジタル放送伝送方式に代わる新たな次世代の地上デジタル放送伝送方式の検討が進められている。
【０００３】
次世代の地上デジタル放送伝送方式では、空間結合ＬＤＰＣ（Ｌｏｗ  Ｄｅｎｓｉｔｉｙ  Ｐａｒｉｔｙ  Ｃｈｅｃｋ）符号を用いた誤り訂正処理が適用されることが検討されている。
【０００４】
かかる誤り訂正処理では、送信装置及び受信装置のそれぞれにおいて、所定のテーブルを用いて、符号化処理及び復号処理に使用する検査行列を生成するように構成されている。
【０００５】
具体的には、かかる誤り訂正処理で用いられるＬＤＰＣ符号の検査行列は、元となる検査行列の要素を複数に分割して繰り返し結合される構造を有しているため、送信装置及び受信装置のそれぞれで、元となる検査行列の要素を複数に分割するためのテーブルを有している（非特許文献１参照）。
【先行技術文献】
【非特許文献】
【０００６】
【非特許文献１】「高度ＢＳデジタル放送用ＬＤＰＣ符号の設計」、鈴木陽一他、映像情報メディア学会誌Ｖｏｌ．６２、Ｎｏ．１２、２００８年
【発明の概要】
【発明が解決しようとする課題】
【０００７】
しかしながら、上述の誤り訂正処理において、元となる検査行列の各要素をどのように分割すべきかについて示す情報をそのままテーブル化すると、送信装置及び受信装置のそれぞれにおいて膨大なデータ量のテーブルを保持することが必要になる。
【０００８】
したがって、上述の誤り訂正処理を行うためには、送信装置及び受信装置のそれぞれにおいてメモリ使用量が著しく増大し、次世代の地上デジタル放送伝送方式として規格化した場合の規格書において、かかるテーブルだけで膨大な頁を割くことになってしまうという問題点があった。
【０００９】
そこで、本発明は、上述した課題を解決するためになされたものであり、メモリ使用量を著しく増加させることなく次世代の地上デジタル放送伝送方式における誤り訂正処理を実現することができる送信装置、受信装置及びチップを提供することを目的とする。
【課題を解決するための手段】
【００１０】
本発明の第１の特徴は、信号を送信する送信装置であって、送信データに対してＬＤＰＣ符号化処理を施してＬＤＰＣ符号を生成するＬＤＰＣ符号化部を具備し、前記ＬＤＰＣ符号化部は、所定の数式及び初期値を用いて、元となる検査行列から、前記ＬＤＰＣ符号の検査行列を生成するように構成されていることを要旨とする。
【００１１】
本発明の第２の特徴は、上述の第１の特徴に係る送信装置から信号を受信する受信装置であって、前記信号に対してＬＤＰＣ符号を用いた復号処理を施すＬＤＰＣ復号部を具備し、前記ＬＤＰＣ復号部は、所定の数式及び初期値を用いて、元となる検査行列から、前記ＬＤＰＣ符号の検査行列を生成するように構成されていることを要旨とする。
【００１２】
本発明の第３の特徴は、コンピュータを、上述の第１の特徴に記載の送信装置として機能させるためのプログラムを実行するプロセッサによって構成されるチップであることを要旨とする。
【００１３】
本発明の第４の特徴は、コンピュータを、上述の第２の特徴に記載の受信装置として機能させるためのプログラムを実行するプロセッサによって構成されるチップであることを要旨とする。
【発明の効果】
【００１４】
本発明によれば、メモリ使用量を著しく増加させることなく次世代の地上デジタル放送伝送方式における誤り訂正処理を実現することができる送信装置、受信装置及びチップを提供することができる。
【図面の簡単な説明】
【００１５】
【図１】図１は、第１の実施形態に係る送信装置１の機能ブロック図の一例である。
【図２】図２は、第１の実施形態に係る送信装置１のＬＤＰＣ符号化部１５ａ／１５ｂの機能ブロック図の一例である。
【図３】図３は、第１の実施形態に係る送信装置１のＬＤＰＣ符号化部１５ａ／１５ｂの振り分け符号生成部１５２によって振り分け符号を生成する動作を説明するための図の一例である。
【図４】図４は、第１の実施形態に係る送信装置１のＬＤＰＣ符号化部１５ａ／１５ｂの振り分け実行部１５４によって振り分けを実行する動作を説明するための図の一例である。
【図５】図５は、第１の実施形態に係る送信装置１のＬＤＰＣ符号化部１５ａ／１５ｂの検査行列生成部１５４によって検査行列を生成する動作を説明するための図の一例である。
【図６】図６は、第１の実施形態に係る受信装置３の機能ブロック図の一例である。
【図７】図７は、第１の実施形態に係る受信装置３のＬＤＰＣ復号部３６ａ／３６ｂの機能ブロック図の一例である。
【図８】図８は、第１の実施形態に係る放送システムにおけるシミュレーション結果の一例を示す図である。
【発明を実施するための形態】
【００１６】
（第１の実施形態）
以下、図１〜図７を参照して、本発明の第１の実施形態に係る放送システムについて説明する。本実施形態に係る放送システムは、上述の次世代の地上デジタル放送伝送方式に対応するように構成されており、例えば、図１に示す送信装置１及び図６に示す受信装置３を具備する。
【００１７】
本実施形態に係る送信装置１は、２階層までの階層伝送を行うように構成されている。具体的には、本実施形態に係る送信装置１は、Ａ階層データ及びＢ階層データを送信するように構成されている。例えば、Ａ階層データは、移動受信向けの放送用データであり、Ｂ階層データは、固定受信向けの放送用データであることが想定されている。
【００１８】
なお、本実施形態に係る送信装置１は、Ａ階層データ及びＢ階層データを部分受信帯域データ及び非部分受信帯域データを含むＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号によって送信するように構成されている。
【００１９】
図１に示すように、本実施形態に係る送信装置１は、フレームヘッダ分離部１１ａ、１１ｂと、ＦＥＣブロック変換部１２ａ、１２ｂと、エネルギー拡散部１３ａ、１３ｂと、ＢＣＨ符号化部１４ａ、１４ｂと、ＬＤＰＣ符号化部１５ａ、１５ｂと、ビットインターリーブ部１６ａ、１６ｂと、フレームヘッダ挿入部１７ａ、１７ｂと、マッピング部１８ａ、１８ｂと、レベル調整部１９ａ、１９ｂと、フレームヘッダ符号化部２０ａ、２０ｂと、階層合成部２１とを具備している。
【００２０】
フレームヘッダ分離部１１ａは、Ａ階層データを含むフレームのヘッダを分離するように構成されており、フレームヘッダ分離部１１ｂは、Ｂ階層データを含むフレームのヘッダを分離するように構成されている。
【００２１】
フレームヘッダ符号化部２０ａは、フレームヘッダ分離部１１ａによって分離されたフレームのヘッダに対して符号化処理を施すように構成されている。
【００２２】
ＦＥＣブロック変換部１２ａは、フレームヘッダ分離部１１ａから出力されたＡ階層データをＦＥＣ（Ｆｏｒｗａｒｄ  Ｅｒｒｏｒ  Ｃｏｒｒｅｃｔｉｏｎ）ブロックに変換するように構成されており、ＦＥＣブロックのサイズとしては、ＬＤＰＣ符号化の符号長（例えば、Ｓｈｏｒｔ、Ｍｉｄｄｌｅ、Ｌｏｎｇの３種類）に応じたサイズが設定される。
【００２３】
エネルギー拡散部１３ａは、ＦＥＣブロック変換部１２ａから出力されたＦＥＣブロックに対してエネルギー拡散処理を施し、同符号が長期間連続して発生しないように構成されている。
【００２４】
ＢＣＨ符号化部１４ａは、エネルギー拡散部１３ａからの出力であるＦＥＣブロックに対して、生成多項式を用いてＢＣＨ符号化処理を施してブロック単位のＢＣＨ符号（ＢＣＨブロック）を生成するように構成されている。
【００２５】
ＬＤＰＣ符号化部１５ａは、ＢＣＨ符号化部１４ａからの出力に対してＬＤＰＣ符号を用いた符号化処理を施すように構成されている。具体的には、ＬＤＰＣ符号化部１５ａは、後述する所定の数式及び初期値を用いて、元となる検査行列Ｈから、ＬＤＰＣ符号の検査行列ＨＣを生成するように構成されている。
【００２６】
上述したように、フレームヘッダ分離部１１ａ、フレームヘッダ符号化部２０ａ、ＦＥＣブロック変換部１２ａ、エネルギー拡散部１３ａ、ＢＣＨ符号化部１４ａは、Ａ階層について処理を行う。
【００２７】
同様に、フレームヘッダ分離部１１ｂ、フレームヘッダ符号化部２０ｂ、ＦＥＣブロック変換部１２ｂ、エネルギー拡散部１３ｂ、ＢＣＨ符号化部１４ｂは、Ｂ階層について処理を行うが、処理内容は、Ａ階層についての処理と同様であるため、説明を省略する。
【００２８】
図２に示すように、ＬＤＰＣ符号化部１５ａ／１５ｂは、それぞれ、Ｍ系列生成部１５１と、振り分け符号生成部１５２と、行列Ｈ読み出し部１５３と、振り分け実行部１５４と、行列ＨＵ／ＨＬ生成部１５５と、検査行列生成部１５６と、符号化部１５７とを具備している。
【００２９】
Ｍ系列生成部１５１は、所定の数式及び初期値を用いて、Ｍ系列を生成するように構成されている。
【００３０】
例えば、Ｍ系列生成部１５１は、１７次Ｍ系列生成多項式（所定の数式）及び１７ビットの初期値を用いて、Ｍ系列を生成するように構成されている。具体的には、Ｍ系列生成部１５１は、１７次Ｍ系列生成多項式を「Ｘ１７＋Ｘ３＋１」とした場合、図３に示すシフトレジスタ及びフィードバックで形成する回路によって、１７次のＭ系列を生成するように構成されている。図３に示す回路において、「Ｄ」は、１ビット遅延器を示し、各矢印上に１ビットのデータが乗っているものとする。なお、かかる場合、初期値（「Ｄ」に入力される最初のビット）によって生成される１７次のＭ系列の形が異なることになる。
【００３１】
ここで、ｎ次のＭ系列は、２ｎ−１ビット周期を有しており、かかる周期の間、同じパターンを有しない（自己相関が極めて低い）符号であるため、実質的に疑似ランダム符号ということができる。
【００３２】
振り分け符号生成部１５２は、Ｍ系列生成部１５１によって生成されたＭ系列から振り分け符号を生成するように構成されている。
【００３３】
具体的には、元となる検査行列Ｈをｎ個（２Ｎ−１＜ｎ≦２Ｎ）に分割する場合、振り分け符号生成部１５２は、Ｍ系列生成部１５１によって生成されたＭ系列を、Ｎ個単位に区切ってＮビットのランダムな振り分け符号に変換するように構成されている。
【００３４】
例えば、元となる検査行列Ｈを２個（Ｎ＝２）に分割する場合、振り分け符号生成部１５２は、Ｍ系列生成部１５１によって生成されたＭ系列（０，０，１，１，０，０，０，１，１，１…）を、「００」「１１」「００」「０１」「１１」と２ビット単位のランダムな振り分け符号に変換するように構成されている。
【００３５】
行列Ｈ読み出し部１５３は、元となる検査行列Ｈを読み出すように構成されている。なお、元となる検査行列の生成方法の一例については、上述の非特許文献１に記載されている。
【００３６】
振り分け実行部１５４は、振り分け符号生成部１５２によって生成された振り分け符号に基づいて、元となる検査行列Ｈの要素を、所定数の行列に振り分けるように構成されている。
【００３７】
例えば、図４に示すように、振り分け実行部１５４は、振り分け符号（１，−１，１，１，１，−１…）に基づいて、元となる検査行列Ｈの要素を、２個の行列ＨＵ／ＨＬに振り分けるように構成されている。
【００３８】
かかる場合、振り分け実行部１５４は、元となる検査行列Ｈの左上から横方向に順に要素「１」を読み出していき、かかる要素「１」に対応する振り分け符号が「１」である場合、かかる要素「１」を行列ＨＵに振り分け（図４の「Ａ」のケース）、かかる要素「１」に対応する振り分け符号が「−１」である場合、かかる要素「１」を行列ＨＬに振り分ける（図４の「Ｂ」のケース）ように構成されている。ここで、ｎ番目に読み出された要素「１」は、ｎ番目の振り分け符号に対応する。
【００３９】
同様に、振り分け実行部１５４は、元となる検査行列Ｈの要素を４個の行列ＨＵ／ＨＬに振り分ける場合、読み出された要素「１」に対応する振り分け符号が「００」である場合、かかる要素「１」を行列Ｈ１に振り分けるように構成されている。
【００４０】
そして、振り分け実行部１５４は、かかる要素「１」に対応する振り分け符号のビットが「０１」である場合、かかる要素「１」を行列Ｈ２に振り分けるように構成されている。
【００４１】
また、振り分け実行部１５４は、かかる要素「１」に対応する振り分け符号のビットが
「１０」である場合、かかる要素「１」を行列Ｈ３に振り分けるように構成されている。
【００４２】
さらに、振り分け実行部１５４は、かかる要素「１」に対応する振り分け符号のビットが「１１」である場合、かかる要素「１」を行列Ｈ４に振り分けるように構成されている。
【００４３】
行列ＨＵ／ＨＬ生成部１５５は、振り分け実行部１５４による振り分け結果に基づいて、所定数の行列（行列ＨＵ及び行列ＨＵ）を生成するように構成されている。
【００４４】
検査行列生成部１５６は、所定数の行列（行列ＨＵ及び行列ＨＵ）を用いて、ＬＤＰＣ符号の検査行列ＨＣを生成するように構成されている。
【００４５】
例えば、図５に示すように、検査行列生成部１５６は、行列ＨＵ及び行列ＨＵの組み合わせを所定数Ｌ（例えば、１７個）だけ対角線上に配列し、最後尾に、パリティを生成するＬＤＧＭ（Ｌｏｗ−Ｄｅｎｓｉｔｙ  Ｇｅｎｅｒａｔｏｒ  Ｍａｔｒｉｘ）符号からなるＬＤＧＭ部を配列することで、検査行列ＨＣを生成するように構成されている。
【００４６】
符号化部１５７は、かかる検査行列ＨＣを用いた符号化処理を施すように構成されている。
【００４７】
ビットインターリーブ部１６ａは、ＬＤＰＣ符号化部１５ａからの出力に対してビットインターリーブ処理を施すように構成されている。
【００４８】
フレームヘッダ挿入部１７ａは、ビットインターリーブ部１６ａからの出力に対して、フレームヘッダ符号化部２０ａによって符号化処理が施されたフレームのヘッダを挿入するように構成されている。
【００４９】
マッピング部１８ａは、フレームヘッダ挿入部１７ａからの出力に対してマッピング処理を施して変調シンボルを出力するように構成されている。
【００５０】
レベル調整部１９ａは、マッピング部１８ａから出力された変調シンボルのＩ／Ｑ座標値のレベル調整を行うように構成されている。
【００５１】
階層合成部２１は、Ａ階層データの変調シンボル及びＢ階層データの変調シンボルを合成するように構成されている。
【００５２】
上述したように、ビットインターリーブ部１６ａ、フレームヘッダ挿入部１７ａ、マッピング部１８ａ、レベル調整部１９ａは、Ａ階層について処理を行う。
【００５３】
同様に、ビットインターリーブ部１６ｂ、フレームヘッダ挿入部１７ｂ、マッピング部１８ｂ、レベル調整部１９ｂ、階層合成部２１は、Ｂ階層について処理を行うが、処理内容はＡ階層の処理と同様であるため、説明を省略する。
【００５４】
次世代の地上デジタル放送伝送方式のノーマルモードでは、１チャネルが、３３セグメントによって構成されており、５．５０ＭＨｚの帯域幅を有しており、３３個のセグメントのうち２４個のセグメントが、非部分受信帯域データの送信に用いられ、残りの９セグメントが、部分受信帯域データの送信に用いられる。
【００５５】
また、次世代の地上デジタル放送伝送方式の互換モードでは、１チャネルが、３３セグメント及び調整帯域（０．０７ＭＨｚ）によって構成されており、ＩＳＤＢ−Ｔの１チャネルと同じ５．５７ＭＨｚの帯域幅を有しており、３３個のセグメントのうち２４個のセグメントが、非部分受信帯域データの送信に用いられ、残りの９セグメントが、部分受信帯域データの送信に用いられる。
【００５６】
さらに、次世代の地上デジタル放送伝送方式の拡張モードでは、１チャネルが、３５セグメントによって構成されており、５．８３ＭＨｚの帯域幅を有しており、３５個のセグメントのうち２６個のセグメントが、非部分受信帯域データの送信に用いられ、残りの９セグメントが、部分受信帯域データの送信に用いられる。
【００５７】
具体的には、９個のセグメントからなる部分受信帯域にＡ階層データが割り当てた後に空きがある場合にＢ階層データが割り当てられることによって部分受信帯域データが生成され、２４個のセグメントからなる非部分受信帯域にＢ階層データの残りが割り当てられることによって非部分受信帯域データが生成するように構成されている。
【００５８】
例えば、Ａ階層データが９個未満のセグメントからなる場合、Ｂ階層データのうちセグメント番号の低い方から順番に部分受信帯域に割り当てられていき、Ａ階層データ及びＢ階層データを合わせて９個のセグメントからなる部分受信帯域データが生成されるように構成されていてもよい。
【００５９】
一方、Ａ階層データが９個のセグメントからなる場合、Ａ階層データが部分受信帯域データとなり、Ｂ階層データが非部分受信帯域データとなるように構成されていてもよい。
【００６０】
本実施形態に係る受信装置３は、２階層までの階層伝送によって送信されたＡ階層データ及びＢ階層データを受信することができるように構成されている。
【００６１】
なお、本実施形態に係る受信装置３は、Ａ階層データ及びＢ階層データを、上述の部分受信帯域データ及び非部分受信帯域データを含むＯＦＤＭ信号によって受信するように構成されている。
【００６２】
本実施形態に係る受信装置３は、図６に示すように、階層分離部３１と、レベル調整部３２ａ、３２ｂと、デマッピング部３３ａ、３３ｂと、フレームヘッダ分離部３４ａ、３４ｂと、ビットデインターリーブ部３５ａ、３５ｂと、ＬＤＰＣ復号部３６ａ、３６ｂと、ＢＣＨ復号部３７ａ、３７ｂと、エネルギー逆拡散部３８ａ、３８ｂと、ＦＥＣブロック逆変換部３９ａ、３９ｂと、フレームヘッダ復号部４０ａ、４０ｂと、フレームヘッダ挿入部４１ａ、４１ｂとを具備している。
【００６３】
階層分離部３１は、Ａ階層データ及びＢ階層データを分離するように構成されている。
【００６４】
レベル調整部３２ａは、階層分離部３１から出力されたＡ階層データの変調シンボルのＩ／Ｑ座標値のレベル調整を行うように構成されている。
【００６５】
デマッピング部３３ａは、レベル調整部３２ａからの出力に対してデマッピング処理を施すように構成されている。
【００６６】
フレームヘッダ分離部３４ａは、デマッピング部３３ａから出力されたフレームのヘッダを分離するように構成されている。
【００６７】
フレームヘッダ復号部４０ａは、フレームヘッダ分離部３４ａから出力されたフレームのヘッダに対して復号処理を施すように構成されている。
【００６８】
ビットデインターリーブ部３５ａは、フレームヘッダ分離部３４ａからの出力に対してビットデインターリーブ処理を施すように構成されている。
【００６９】
ＬＤＰＣ復号部３６ａは、ビットデインターリーブ部３５ａからの出力に対してＬＤＰＣ符号を用いた復号処理を施すように構成されている。
【００７０】
具体的には、ＬＤＰＣ復号部３６ａは、所定の数式及び初期値を用いて、元となる検査行列Ｈから、ＬＤＰＣ符号の検査行列ＨＣを生成するように構成されている。
【００７１】
上述したように、レベル調整部３２ａ、デマッピング部３３ａ、フレームヘッダ分離部３４ａ、フレームヘッダ復号部４０ａ、ビットデインターリーブ部３５ａ、ＬＤＰＣ復号部３６ａは、Ａ階層について処理を行う。
【００７２】
同様に、レベル調整部３２ｂ、デマッピング部３３ｂ、フレームヘッダ分離部３４ｂ、フレームヘッダ復号部４０ｂ、ビットデインターリーブ部３５ｂ、ＬＤＰＣ復号部３６ｂは、Ｂ階層について処理を行うが、処理内容は、Ａ階層についての処理と同様であるため、説明を省略する。
【００７３】
図７に示すように、ＬＤＰＣ復号部３６ａ／３６ｂは、それぞれ、Ｍ系列生成部３６１と、振り分け符号生成部３６２と、行列Ｈ読み出し部３６３と、振り分け実行部３６４と、行列ＨＵ／ＨＬ生成部３６５と、検査行列生成部３６６と、復号部３６７とを具備している。
【００７４】
ここで、Ｍ系列生成部３６１、振り分け符号生成部３６２、行列Ｈ読み出し部３６３、振り分け実行部３６４、行列ＨＵ／ＨＬ生成部３６５及び検査行列生成部３６６の機能は、Ｍ系列生成部１５１、振り分け符号生成部１５２、行列Ｈ読み出し部１５３、振り分け実行部１５４、行列ＨＵ／ＨＬ生成部１５５及び検査行列生成部１５６の機能と同一である。
【００７５】
復号部３６７は、検査行列生成部３６６によって生成された検査行列ＨＣを用いた復号処理を施すように構成されている。
【００７６】
ＢＣＨ復号部３７ａは、ＬＤＰＣ復号部３６ａからの出力に対してＢＣＨ符号を用いた復号処理を施すように構成されており、ＢＣＨ復号部３７ｂは、ＬＤＰＣ復号部３６ｂからの出力に対してＢＣＨ符号を用いた復号処理を施すように構成されている。
【００７７】
エネルギー逆拡散部３８ａは、ＢＣＨ復号部３７ａからの出力に対してエネルギー逆拡散処理を施すように構成されており、エネルギー逆拡散部３８ｂは、ＢＣＨ復号部３７ｂからの出力に対してエネルギー逆拡散処理を施すように構成されている。
【００７８】
ＦＥＣブロック逆変換部３９ａは、エネルギー逆拡散部３８ａから出力されたＦＥＣブロックをＡ階層データに変換するように構成されており、ＦＥＣブロック逆変換部３９ｂは、エネルギー逆拡散部３８ｂから出力されたＦＥＣブロックをＢ階層データに変換するように構成されている。
【００７９】
フレームヘッダ挿入部４１ａは、ＦＥＣブロック逆変換部３９ａから出力されたＡ階層データに対してフレームヘッダ復号部４０ａから出力されたフレームのヘッダを挿入するように構成されており、フレームヘッダ挿入部４１ｂは、ＦＥＣブロック逆変換部３９ｂから出力されたＢ階層データに対してフレームヘッダ復号部４０ｂから出力されたフレームのヘッダを挿入するように構成されている。
【００８０】
本実施形態に係る放送システムによれば、メモリ使用量を著しく増加させることなく次
世代の地上デジタル放送伝送方式における誤り訂正処理を実現することができる。
【００８１】
（実施例）
以下、図８に、本実施形態に係る放送システムの実施例について示す。かかる実施例では、従来の分割テーブルを用いて元の検査行列Ｈを行列ＨＵ及び行列ＨＬに分割する例と、図８（ａ）に示すパターン１〜５の初期値を１７次Ｍ系列生成多項式に入力して得られた振り分け符号を用いて元の検査行列Ｈを行列ＨＵ及び行列ＨＬに分割する例について説明する。
【００８２】
ここで、検査行列ＨＣの符号長を２６９，２８０ビットとし、符号化率を１０／１５とし、変調方式をＱＰＳＫとし、繰り返し復号回数を１００回とする。
【００８３】
図８（ｂ）に示すように、いずれの例においても、特性がほぼ変わらないことが分かる。すなわち、上述の実施形態を用いても、性能に影響が出ないことが分かる。
【００８４】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００８５】
また、上述の実施形態では、２階層までの階層伝送を行うケースを例に挙げて説明したが、本発明は、かかるケースに限定されることなく、３階層までの階層伝送を行うケースにも適用可能である。
【００８６】
また、上述の実施形態では、信号としてＯＦＤＭ信号が用いられるケースを例に挙げて説明したが、本発明は、かかるケースに限定されることなく、他の信号が用いられるケースにも適用可能である。
【００８７】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００８８】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【００８９】
１…送信装置
１１ａ、１１ｂ…フレームヘッダ分離部
１２ａ、１２ｂ…ＦＥＣブロック変換部
１３ａ、１３ｂ…エネルギー拡散部
１４ａ、１４ｂ…ＢＣＨ符号化部
１５ａ、１５ｂ…ＬＤＰＣ符号化部
１５１…Ｍ系列生成部
１５２…振り分け符号生成部
１５３…行列Ｈ読み出し部
１５４…振り分け実行部
１５５…行列ＨＵ／ＨＬ生成部
１５６…検査行列生成部
１５７…符号化部
１６ａ、１６ｂ…ビットインターリーブ部
１７ａ、１７ｂ…フレームヘッダ挿入部
１８ａ、１８ｂ…マッピング部
１９ａ、１９ｂ…レベル調整部
２０ａ、２０ｂ…フレームヘッダ符号化部
２１…階層合成部
３…受信装置
３１…階層分離部
３２ａ、３２ｂ…レベル調整部
３３ａ、３３ｂ…デマッピング部
３４ａ、３４ｂ…フレームヘッダ分離部
３５ａ、３５ｂ…ビットデインターリーブ部
３６ａ、３６ｂ…ＬＤＰＣ復号部
３６１…Ｍ系列生成部
３６２…振り分け符号生成部
３６３…行列Ｈ読み出し部
３６４…振り分け実行部
３６５…行列ＨＵ／ＨＬ生成部
３６６…検査行列生成部
３６７…符号化部
３７ａ、３７ｂ…ＢＣＨ復号部
３８ａ、３８ｂ…エネルギー逆拡散部
３９ａ、３９ｂ…ＦＥＣブロック逆変換部
４０ａ、４０ｂ…フレームヘッダ復号部
４１ａ、４１ｂ…フレームヘッダ挿入部
【図１】
2018098774.tif 000003
【図２】
2018098774.tif 000004
【図３】
2018098774.tif 000005
【図４】
2018098774.tif 000006
【図５】
2018098774.tif 000007
【図６】
2018098774.tif 000008
【図７】
2018098774.tif 000009
【図８】
2018098774.tif 000010